(57)【要約】【課題】案内面の摩耗を抑制可能な転がり軸受を提供する。【解決手段】転がり軸受１０は、内輪５と、外輪４と、複数の玉３と、保持器７とを備える。外輪４は、内輪５の外周側に配置されている。外輪４は、内輪５の外周側に配置されている。複数の玉３は、内輪５と外輪４との間に配置されている。保持器７は、複数の玉３の各々を保持可能に構成され、かつ玉３に対向する案内面１ａ１、１ｂ１を含む複数のポケット９が周方向に沿って形成されている。複数のポケット９の少なくとも一つには、案内面１ａ１、１ｂ１に凸部２が設けられている。【選択図】図１
2016173125.tif 000002
【特許請求の範囲】
【請求項１】
内輪と、
前記内輪の外周側に配置された外輪と、
前記内輪と前記外輪との間に配置された複数の玉と、
前記複数の玉の各々を保持可能に構成され、かつ前記玉に対向する案内面を含む複数のポケットが周方向に沿って形成された保持器とを備え、
前記複数のポケットの少なくとも一つには、前記案内面に凸部が設けられている、転がり軸受。
【請求項２】
前記凸部は、前記複数のポケットの全てに設けられている、請求項１に記載の転がり軸受。
【請求項３】
前記凸部は、前記玉の中心から見て、前記周方向の一方側に設けられた第１凸部と、前記周方向の他方側に設けられた第２凸部とを有する、請求項１または請求項２に記載の転がり軸受。
【請求項４】
前記凸部と前記玉の中心とを通る直線と、前記玉の中心を通る前記周方向の接線とが成す角度は１０°以下である、請求項１〜請求項３のいずれか１項に記載の転がり軸受。
【請求項５】
前記玉の中心から見て、前記凸部の形状は、前記保持器の径方向に伸びる長細い形状である、請求項１〜請求項４のいずれか１項に記載の転がり軸受。
【請求項６】
前記凸部は、前記保持器の径方向に離間するように配置された第３凸部および第４凸部を有する、請求項１〜請求項４のいずれか１項に記載の転がり軸受。
【請求項７】
前記玉に接触する前記凸部の部分は曲面である、請求項１〜請求項６のいずれか１項に記載の転がり軸受。
【請求項８】
前記玉に接触する前記凸部の部分は平面である、請求項１〜請求項６のいずれか１項に記載の転がり軸受。
【発明の詳細な説明】
【技術分野】
【０００１】
本発明は、転がり軸受に関し、特定的には、保持器を有する転がり軸受に関する。
【背景技術】
【０００２】
たとえば、特開２００８−１７５３１０号公報（特許文献１）には、スラストころ軸受が開示されている。当該スラストころ軸受の保持器は、一枚の環状板からなる。保持器には、針状ころを収容するためのポケットが円周上に形成されている。
【先行技術文献】
【特許文献】
【０００３】
【特許文献１】特開２００８−１７５３１０号公報
【発明の概要】
【発明が解決しようとする課題】
【０００４】
転がり軸受用の保持器は、転動体が保持器に対して周方向に沿って進む場合または遅れる場合がある。このような場合、転動体が保持器のポケットを形成する案内面に衝突し、潤滑状態が悪いと案内面に摩耗が生じる。案内面が摩耗して発生した摩耗粉がグリースに混入すると潤滑状態が更に悪化し、グリースの潤滑寿命が低下する。
【０００５】
本発明は、上記課題を鑑みてなされたものであり、その目的は、案内面の摩耗を抑制可能な転がり軸受を提供することである。
【課題を解決するための手段】
【０００６】
本発明の一実施の形態に係る転がり軸受は、内輪と、外輪と、複数の玉と、保持器とを備える。外輪は、内輪の外周側に配置されている。複数の玉は、内輪と外輪との間に配置されている。保持器は、複数の玉の各々を保持可能に構成され、かつ玉に対向する案内面を含む複数のポケットが周方向に沿って形成されている。複数のポケットの少なくとも一つには、案内面に凸部が設けられている。
【０００７】
本発明の一実施の形態に係る転がり軸受によれば、複数のポケットの少なくとも一つには、案内面に凸部が設けられている。これにより、転動体としての玉と保持器とが面接触ではなく点接触となるため、案内面に凸部が設けられていない場合と比較して、滑り摩耗抵抗を低下させることができる。結果として、案内面の摩耗を抑制することができる。
【０００８】
上記一実施の形態に係る転がり軸受において好ましくは、凸部は、複数のポケットの全てに設けられている。これにより、全てのポケットにおいて、案内面の摩耗を抑制することができる。
【０００９】
上記一実施の形態に係る転がり軸受において好ましくは、凸部は、玉の中心から見て、周方向の一方側に設けられた第１凸部と、周方向の他方側に設けられた第２凸部とを有する。これにより、玉が保持器に対して周方向に進んだ場合および遅れた場合の双方において、玉は保持器と点接触することが可能となる。それゆえ、案内面の摩耗をより抑制することができる。
【００１０】
上記一実施の形態に係る転がり軸受において好ましくは、凸部と玉の中心とを通る直線と、玉の中心を通る周方向の接線とが成す角度は１０°以下である。これにより、玉が保持器に対して周方向に進んだ場合または遅れた場合において、玉は保持器と点接触しやすくなる。それゆえ、案内面の摩耗をより抑制することができる。
【００１１】
上記一実施の形態に係る転がり軸受において、玉の中心から見て、凸部の形状は、保持器の径方向に伸びる長細い形状であってもよい。これにより、玉が保持器の径方向に対して移動した場合であっても、玉は保持器と点接触することが可能となる。それゆえ、案内面の摩耗をより抑制することができる。
【００１２】
上記一実施の形態に係る転がり軸受において、凸部は、保持器の径方向に離間するように配置された第３凸部および第４凸部を有していてもよい。これにより、玉が保持器の径方向に対して移動した場合であっても、玉は保持器と点接触することが可能となる。それゆえ、案内面の摩耗をより抑制することができる。
【００１３】
上記一実施の形態に係る転がり軸受において、玉に接触する凸部の部分は曲面であってもよい。これにより、案内面の摩耗を効果的に抑制することができる。
【００１４】
上記一実施の形態に係る転がり軸受において、玉に接触する凸部の部分は平面であってもよい。これにより、案内面の摩耗を効果的に抑制することができる。
【発明の効果】
【００１５】
本発明によれば、案内面の摩耗を抑制可能な転がり軸受を提供することができる。
【図面の簡単な説明】
【００１６】
【図１】本発明の実施の形態に係る転がり軸受の構成を示す断面模式図である。
【図２】本発明の実施の形態に係る転がり軸受が有する保持器の構成を示す斜視模式図である。
【図３】本発明の実施の形態に係る転がり軸受が有する保持器の第１の例の構成を示す断面模式図である。
【図４】本発明の実施の形態に係る転がり軸受が有する保持器の第２の例の構成を示す断面模式図である。
【図５】本発明の実施の形態に係る転がり軸受が有する保持器の第３の例の構成を示す断面模式図である。
【図６】本発明の実施の形態に係る保持器に形成された凸部の第１の例の構成を示す斜視模式図である。
【図７】本発明の実施の形態に係る保持器に形成された凸部の第２の例の構成を示す斜視模式図である。
【図８】本発明の実施の形態に係る保持器に形成された凸部の第３の例の構成を示す断面模式図である。
【図９】本発明の実施の形態に係る保持器に形成された凸部の第４の例の構成を示す断面模式図である。
【発明を実施するための最良の形態】
【００１７】
以下、本発明の実施の形態について図に基づいて説明する。なお、以下の図面において同一または相当する部分には同一の参照番号を付しその説明は繰返さない。
【００１８】
図１を参照して、本発明の実施の形態に係る転がり軸受１０の構成について説明する。
実施の形態に係る転がり軸受１０は、内輪５と、外輪４と、複数の玉３と、保持器７とを主に有する。外輪４は、内輪５の外周側に配置されている。複数の玉３は、内輪５と外輪４との間に配置されている。保持器７は、内輪５の外周側であって、かつ外輪４の内周側に配置されている。外輪４および内輪５の各々は、円環状の形状を有している。内輪５の内側には、軸６が嵌合可能である。内輪５は、軸６とともに回転可能である。軸６は、内輪５の中心Ｏ２に位置する。
【００１９】
図２および図３を参照して、保持器７は、環状体１と、リベット１２とを主に有している。環状体１は、第１環状体１ａと第２環状体１ｂとを含む。第１環状体１ａは、第１案内面１ａ１と、第１接触面１ａ２と、第１外側面１ａ３とを含む。同様に、第２環状体１ｂは、第２案内面１ｂ１と、第２接触面１ｂ２と、第２外側面１ｂ３とを含む。第１環状体１ａは、第２環状体１ｂと対向するように配置されている。具体的には、第１接触面１ａ２は、第２接触面１ｂ２と接触している。第１案内面１ａ１は、第２案内面１ｂ１から離間した状態で、第２案内面１ｂ１に対向している。第１環状体１ａには、第１外側面１ａ３と第１接触面１ａ２とを貫通する第１貫通孔１１ａが形成されている。同様に、第２環状体１ｂには、第２外側面１ｂ３と第２接触面１ｂ２とを貫通する第２貫通孔１１ｂが形成されている。第１貫通孔１１ａおよび第２貫通孔１１ｂにリベット１２が挿入されている。第１環状体１ａおよび第２環状体１ｂは、リベット１２を用いて固定されている。第１環状体１ａは軸線方向Ａの一方側に配置されており、かつ第２環状体１ｂは軸線方向Ａの他方側に配置されている。
【００２０】
保持器７は、複数の玉３の各々を保持可能に構成されている。図３に示されるように、複数の玉３の各々は、複数のポケット９の各々に配置されている。つまり、一つのポケット９には、一つの玉３が配置されている。ポケット９は、第１案内面１ａ１および第２案内面１ｂ１を含む。言い換えれば、ポケット９は、第１案内面１ａ１および第２案内面１ｂ１により構成されている。第１案内面１ａ１および第２案内面１ｂ１は、玉３に対向する。玉３は、第１案内面１ａ１および第２案内面１ｂ１により囲まれている。第１案内面１ａ１および第２案内面１ｂ１の各々と、玉３との間には、たとえば潤滑用グリースが設けられている。図２に示されるように、保持器７には、第１案内面１ａ１および第２案内面１ｂ１を含む複数のポケット９が周方向Ｐに沿って形成されている。ポケット９は、保持器７の周方向Ｐに沿って、たとえば４５°間隔で８個設けられていてよい。なお、ポケット９の数は８個以外の数であってもよい。
【００２１】
図３に示されるように、案内面１ａ１、１ｂ１には、凸部２が設けられている。具体的には、凸部２は、玉３の中心Ｏ１から見て、保持器７の周方向Ｐの一方側に設けられた第１凸部２ａと、周方向Ｐの他方側に設けられた第２凸部２ｂとを有していてもよい。第１案内面１ａ１には、第１凸部２ａが設けられている。第１凸部２ａは、第１案内面１ａ１から玉３の中心Ｏ１に向かって突出するように形成されている。同様に、第２案内面１ｂ１には、第２凸部２ｂが設けられている。第２凸部２ｂは、第２案内面１ｂ１から玉３の中心Ｏ１に向かって突出するように形成されている。
【００２２】
第１案内面１ａ１および第２案内面１ｂ１は、凹状の曲面である。第１案内面１ａ１および第２案内面１ｂ１は、放物面であってもよい。第１凸部２ａと第２凸部２ｂとを繋ぐ直線状に、玉３の中心Ｏ１が位置していてもよい。第１凸部２ａは、軸６（図１参照）の軸線方向Ａの一方側に設けられており、かつ第２凸部２ｂは軸線方向Ａの他方側に設けられていてもよい。
【００２３】
図３を参照して、好ましくは、第１凸部２ａと玉３の中心Ｏ１とを通る直線Ｌ１と、玉３の中心Ｏ１を通る周方向Ｐの接線Ｌ２とが成す角度θは１０°以下である。複数のポケット９の少なくとも１つのポケット９において角度θが１０°以下であり、いくつかのポケット９において角度θが１０°よりも大きくてもよい。好ましくは、複数のポケット９の全てのポケット９において角度θが１０°以下である。
【００２４】
あるポケット９の第１案内面１ａ１において、周方向Ｐの一方側に第１凸部２ａが設けられており、当該ポケット９の隣のポケット９の第１案内面１ａ１において、周方向Ｐの他方側に第２凸部２ｂが設けられていてもよい。同様に、あるポケット９の第２案内面１ｂ１において、周方向Ｐの他方側に第２凸部２ｂが設けられており、当該ポケット９の隣のポケット９の第２案内面１ｂ１において、周方向Ｐの一方側に第１凸部２ａが設けられていてもよい。
【００２５】
図４に示されるように、全てのポケット９の第１案内面１ａ１において、玉３の中心Ｏ１から見て、保持器７の周方向Ｐの一方側に設けられた第１凸部２ａ１と、周方向Ｐの他方側に設けられた第２凸部２ｂ１とが設けられていてもよい。同様に、全てのポケット９の第２案内面１ｂ１において、玉３の中心Ｏ１から見て、保持器７の周方向Ｐの一方側に設けられた第１凸部２ａ２と、周方向Ｐの他方側に設けられた第２凸部２ｂ２とが設けられていてもよい。第１凸部２ａ２および第２凸部２ｂ２は、周方向Ｐに対して線対称の位置に配置されていてもよい。
【００２６】
図５に示されるように、あるポケット９には、凸部２が形成されているが、他のポケット９には、凸部２が形成されていなくてもよい。あるポケット９の第１案内面１ａ１には、玉３の中心Ｏ１から見て、保持器７の周方向Ｐの一方側に設けられた第１凸部２ａ２が設けられており、第２案内面１ｂ１には、周方向Ｐの他方側に設けられた第２凸部２ｂ２が設けられていてもよい。当該ポケット９の隣のポケット９には凸部２が設けられていなくてもよい。つまり、複数のポケット９の少なくとも一つには、案内面１ａ１、１ｂ１に凸部２が設けられている。言い換えれば、複数のポケット９のいくらかのポケット９には、凸部２が設けられていなくてもよい。好ましくは、凸部２は、複数のポケット９の全てに設けられている。
【００２７】
図２に示されるように、ポケット９は、保持器７の周方向Ｐに沿って、たとえば４５°間隔で８個設けられている場合、凸部２を有するポケット９が９０°毎に配置されていてもよい。たとえばあるポケット９が他のポケット９よりも負荷がかかることが決まっている場合において、より負荷がかかるポケット９のみに凸部２が設けられていてもよい。周方向Ｐに沿って凸部２が設けられたポケット９と、凸部２が設けられていないポケット９とが交互に配置されていてもよい。
【００２８】
次に、凸部の構造の具体例について説明する。
図６は、凸部２の第１の例の構造を示す斜視模式図である。図６に示されるように、玉３の中心Ｏ１から見て、凸部２の形状は、保持器７の径方向Ｒに伸びる長細い形状であってもよい。言い換えれば、軸線方向Ａから見て、凸部２の形状は、保持器７の径方向Ｒに伸びる長細い形状であってもよい。凸部２は、案内面１ｂ１の曲面形状に沿って湾曲していてもよい。凸部２は、周方向Ｐに対して線対称であってもよい。
【００２９】
図７は、凸部２の第２の例の構造を示す斜視模式図である。図７に示されるように、凸部２は、保持器７の径方向Ｒに離間するように配置された第３凸部２ｃおよび第４凸部２ｄを有していてもよい。第３凸部２ｃは、径方向Ｒの一方側に設けられており、かつ第４凸部２ｄは、径方向Ｒの他方側に設けられている。第３凸部２ｃおよび第４凸部２ｄは、案内面１ｂ１の曲面形状に沿って湾曲していてもよい。第３凸部２ｃおよび第４凸部２ｄは、周方向Ｐに対して線対称であってもよい。
【００３０】
図８は、凸部２の第３の例の構造を示す断面模式図である。図８に示されるように、凸部２は、案内面１ａ１と一体で形成されていてもよい。たとえば、案内面１ａ１に対してプレス加工を施すことにより、案内面１ａ１に凸部２が形成されてもよい。凸部２と反対側の第１外側面１ａ３には、凹部８が形成されていてもよい。図８に示されるように、玉３に接触する凸部２の部分は曲面であってもよい。凸部２の高さＨは、たとえば０．０５ｍｍ以上０．２５ｍｍ以下である。高さＨは、たとえば凸部２と玉３の中心Ｏ１とを繋ぐ直線に沿った方向における、案内面１ａ１から凸部２の頂点までの距離として計算される。
【００３１】
図９は、凸部２の第４の例の構造を示す断面模式図である。図９に示されるように、玉３に接触する凸部２の部分は平面であってもよい。凸部２は、たとえば、平面状の頂面２ｅと、頂面２ｅと案内面１ａ１とを繋ぐ側面２ｆとを有する。側面２ｆは、曲面であってもよいし、平面であってもよい。凸部２の反対側の第１外側面１ａ３には、凹部８が形成されていてもよい。凹部８は、平面状の底面８ａと、底面８ａと第１外側面１ａ３とを繋ぐ側面８ｂとを有する。頂面２ｅと底面８ａとは平行であってもよい。凸部２の高さＨは、たとえば０．０５ｍｍ以上０．２５ｍｍ以下である。高さＨは、たとえば凸部２と玉３の中心Ｏ１とを繋ぐ直線に沿った方向における、案内面１ａ１から凸部２の頂面２ｅまでの距離として計算される。
【００３２】
なお、上記においては、凸部２が案内面と一体である場合について説明したが、凸部２は、案内面１ａ１と別体であってもよい。また凸部２は、案内面１ａ１に対してプレス加工を施すことにより形成する場合について説明したが、凸部２の形成方向はプレス加工に限定されない。たとえば案内面１ａ１上に凸部２を固着することにより、凸部２が形成されてもよい。凸部２を構成する材料は、案内面１ａ１を構成する材料と同じであってもよいし、異なっていてもよい。凸部２を構成する材料は、たとえば樹脂であってもよいし、金属であってもよい。
【００３３】
次に、本発明の実施の形態に係る転がり軸受の作用効果について説明する。
実施の形態に係る転がり軸受１０によれば、複数のポケット９の少なくとも一つには、案内面１ａ１、１ｂ１に凸部２が設けられている。これにより、転動体としての玉３と保持器７とが面接触ではなく点接触となるため、案内面１ａ１、１ｂ１に凸部２が設けられていない場合と比較して、滑り摩耗抵抗を低下させることができる。結果として、案内面１ａ１、１ｂ１の摩耗を抑制することができる。
【００３４】
また実施の形態に係る転がり軸受１０によれば、凸部２は、複数のポケット９の全てに設けられている。これにより、全てのポケット９において、案内面１ａ１、１ｂ１の摩耗を抑制することができる。
【００３５】
さらに実施の形態に係る転がり軸受１０によれば、凸部２は、玉３の中心Ｏ１から見て、周方向Ｐの一方側に設けられた第１凸部２ａと、周方向Ｐの他方側に設けられた第２凸部２ｂとを有する。これにより、玉３が保持器７に対して周方向Ｐに進んだ場合および遅れた場合の双方において、玉３は保持器７と点接触することが可能となる。それゆえ、案内面１ａ１、１ｂ１の摩耗をより抑制することができる。
【００３６】
さらに実施の形態に係る転がり軸受１０によれば、凸部２と玉３の中心Ｏ１とを通る直線Ｌ１と、玉３の中心Ｏ１を通る周方向の接線Ｌ２とが成す角度θは１０°以下である。これにより、玉３が保持器７に対して周方向Ｐに進んだ場合または遅れた場合において、玉３は保持器７と点接触しやすくなる。それゆえ、案内面１ａ１、１ｂ１の摩耗をより抑制することができる。
【００３７】
さらに実施の形態に係る転がり軸受１０によれば、玉３の中心Ｏ１から見て、凸部２の形状は、保持器７の径方向Ｒに伸びる長細い形状であってもよい。これにより、玉３が保持器７の径方向Ｒに対して移動した場合であっても、玉３は保持器７と点接触することが可能となる。それゆえ、案内面１ａ１、１ｂ１の摩耗をより抑制することができる。
【００３８】
さらに実施の形態に係る転がり軸受１０によれば、凸部２は、保持器７の径方向Ｒに離間するように配置された第３凸部２ｃおよび第４凸部２ｄを有していてもよい。これにより、玉３が保持器７の径方向に対して移動した場合であっても、玉３は保持器７と点接触することが可能となる。それゆえ、案内面１ａ１、１ｂ１の摩耗をより抑制することができる。
【００３９】
さらに実施の形態に係る転がり軸受１０によれば、玉３に接触する凸部２の部分は曲面であってもよい。これにより、案内面１ａ１、１ｂ１の摩耗を効果的に抑制することができる。
【００４０】
さらに実施の形態に係る転がり軸受１０によれば、玉３に接触する凸部２の部分は平面であってもよい。これにより、案内面１ａ１、１ｂ１の摩耗を効果的に抑制することができる。
【００４１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることを意図される。
【符号の説明】
【００４２】
１  環状体、１ａ  第１環状体、１ａ１  第１案内面（案内面）、１ａ２  第１接触面、１ａ３  第１外側面、１ｂ  第２環状体、１ｂ１  第２案内面（案内面）、１ｂ２  第２接触面、１ｂ３  第２外側面、２  凸部、２ａ１，２ａ２，２ａ  第１凸部、２ｂ１，２ｂ２，２ｂ  第２凸部、２ｃ  第３凸部、２ｄ  第４凸部、２ｅ  頂面、２ｆ  側面、３  玉、４  外輪、５  内輪、６  軸、７  保持器、８  凹部、８ａ  底面、８ｂ  側面、９  ポケット、１０  転がり軸受、１１ａ  第１貫通孔、１１ｂ  第２貫通孔、１２  リベット、Ａ  軸線方向、Ｌ１  直線、Ｌ２  接線、Ｏ１，Ｏ２  中心、Ｐ  周方向、Ｒ  径方向。
【図１】
2016173125.tif 000003
【図２】
2016173125.tif 000004
【図３】
2016173125.tif 000005
【図４】
2016173125.tif 000006
【図５】
2016173125.tif 000007
【図６】
2016173125.tif 000008
【図７】
2016173125.tif 000009
【図８】
2016173125.tif 000010
【図９】
2016173125.tif 000011